(57)【要約】通信端末装置（２）とこれに接続されたその識別モジュール（ＳＩＭ）とによって在圏提携通信網（ＶＰＭＮ）、特に移動通信網にログインする或る加入者に対して自動的に、またはコンピュータ化サービスユニット（１）の要求に答えて、在圏通信網（ＶＰＭＮ）の番号範囲からなる加入者識別（ＩＭＳＩ‐Ｐ）が伝送（Ｓ２）される。在圏通信網（ＶＰＭＮ）の番号範囲から得られた加入者識別（ＩＭＳＩ‐Ｐ）が加入者の識別モジュール（ＳＩＭ）に記憶されかつ作動される。その後、加入者は在圏通信網（ＶＰＭＮ）にローカル加入者としてログインできる。
2004535746.tif 000002
【特許請求の範囲】
【請求項１】
或る加入者を在圏提携通信網（ＶＰＭＮ）にログインするための電気通信方法であって、識別モジュール（ＳＩＭ）が加入者の通信端末装置（２）と接続され、在圏提携通信網（ＶＰＭＮ）の番号範囲外にある第１加入者識別（ＩＭＳＩ‐Ｆ）がこの識別モジュール（ＳＩＭ）に記憶されているものにおいて、
在圏提携通信網（ＶＰＭＮ）の番号範囲からなる第２加入者識別（ＩＭＳＩ‐Ｔ）がコンピュータ化サービスユニット（１）によって在圏提携通信網（ＶＰＭＮ）内の通信端末装置（２）に伝送され、
第２加入者識別（ＩＭＳＩ‐Ｔ）が識別モジュール（ＳＩＭ）に記憶され、
加入者が第２加入者識別（ＩＭＳＩ‐Ｔ）で在圏提携通信網（ＶＰＭＮ）にログインされることを特徴とする電気通信方法。
【請求項２】
提携通信網（ＶＰＭＮ）の番号範囲からなる加入者識別（ＩＭＳＩ‐Ｐ）がサービスユニット（１）のデータバンク（１１）に記憶され、第２加入者識別（ＩＭＳＩ‐Ｔ）に対するサービス要求を有するデータメッセージが在圏提携通信網（ＶＰＭＮ）内の通信端末装置（２）から在圏提携通信網（ＶＰＭＮ）を介してサービスユニット（１）に伝送され、受信されたサービス要求に基づいてデータバンク（１１）から第２加入者識別（ＩＭＳＩ‐Ｔ）が取り出され、かつ在圏提携通信網（ＶＰＭＮ）を介して要求元通信端末装置（２）に伝送されることを特徴とする、請求項１記載の電気通信方法。
【請求項３】
サービスユニット（１）の事業者の番号範囲から第１加入者識別（ＩＭＳＩ‐Ｆ）が選択され、第１加入者識別（ＩＭＳＩ‐Ｆ’）が呼出番号（ＭＳＩＳＤＮ）に割当ててサービスユニット（１）のホームデータファイル（ＨＬＲ）に記憶され、第２加入者識別（ＩＭＳＩ‐Ｔ）がサービスユニット（１）内で、第１加入者識別（ＩＭＳＩ‐Ｆ’）に割当てられた呼出番号（ＭＳＩＳＤＮ）と結合されることを特徴とする、請求項１または２のいずれか１項記載の電気通信方法。
【請求項４】
在圏提携通信網（ＶＰＭＮ）から費用データが、清算のために、第１加入者識別（ＩＭＳＩ‐Ｆ）によって識別された事業者のサービスユニット（１）に伝送されることを特徴とする、請求項１〜３のいずれか１項記載の電気通信方法。
【請求項５】
移動通信端末装置（２）が使用され、在圏提携通信網（ＶＰＭＮ）として移動通信網が選択され、第１、第２加入者識別（ＩＭＳＩ‐Ｆ、ＩＭＳＩ‐Ｔ）として移動加入者識別が使用されることを特徴とする、請求項１〜４のいずれか１項記載の電気通信方法。
【請求項６】
通信端末装置（２）に接続可能な加入者識別モジュールであって、在圏提携通信網（ＶＰＭＮ）の番号範囲外にある第１加入者識別（ＩＭＳＩ‐Ｆ）がこの識別モジュール（ＳＩＭ）に記憶されているものにおいて、識別モジュール（ＳＩＭ）が、
‐在圏提携通信網（ＶＰＭＮ）内の通信端末装置（２）によってコンピュータ化サービスユニット（１）から受信された、在圏提携通信網の番号範囲からなる第２加入者識別（ＩＭＳＩ‐Ｔ）を受け取るための手段と、
‐第２加入者識別（ＩＭＳＩ‐Ｔ）を識別モジュール（ＳＩＭ）に記憶するための手段と、
‐加入者を第２加入者識別（ＩＭＳＩ‐Ｔ）で在圏提携通信網（ＶＰＭＮ）にログインするための手段とを含むことを特徴とする識別モジュール（ＳＩＭ）。
【請求項７】
第２加入者識別（ＩＭＳＩ‐Ｔ）に対するサービス要求を有するデータメッセージを生成し、かつ生成したデータメッセージを通信端末装置（２）によって在圏提携通信網（ＶＰＭＮ）を介してサービスユニット（１）に伝送するための手段を識別モジュールが含むことを特徴とする、請求項６記載の識別モジュール（ＳＩＭ）。
【請求項８】
識別モジュールが移動通信端末装置（２）に接続可能であり、第１、第２加入者識別（ＩＭＳＩ‐Ｆ、ＩＭＳＩ‐Ｔ）がそれぞれ移動通信網内で加入者を識別するための移動加入者識別であることを特徴とする、請求項６または７のいずれか１項記載の識別モジュール（ＳＩＭ）。
【請求項９】
提携通信網（ＶＰＭＮ）に接続可能なコンピュータ化サービスユニットにおいて、
提携通信網（ＶＰＭＮ）の番号範囲からなる加入者識別（ＩＭＳＩ‐Ｐ）がデータバンク（１１）に記憶されており、
サービスユニット（１１）が、提携通信網（ＶＰＭＮ）の１つに在圏する通信端末装置（２）に加入者識別（ＩＭＳＩ‐Ｔ）の１つを伝送するための手段を含むことを特徴とするコンピュータ化サービスユニット（１）。
【請求項１０】
コンピュータ化サービスユニットが、
‐在圏提携通信網（ＶＰＭＮ）内の通信端末装置（２）から提携通信網（ＶＰＭＮ）を介してデータメッセージを受け取るための手段と、その際サービスメッセージが当該提携通信網（ＶＰＭＮ）の番号範囲からなる加入者識別（ＩＭＳＩ‐Ｔ）に対するサービス要求を含み、
‐受信したサービス要求に基づいてデータバンク（１１）から加入者識別（ＩＭＳＩ‐Ｔ）を取り出すための手段と、
‐取り出した加入者識別（ＩＭＳＩ‐Ｔ）を提携通信網（ＶＰＭＮ）を介して要求元通信端末装置（２）に伝送するための手段とを含むことを特徴とする、請求項９記載のコンピュータ化サービスユニット（１）。
【請求項１１】
コンピュータ化サービスユニットがホームデータファイル（ＨＬＲ）を含み、このホームデータファイルにサービスユニット（１）の事業者の番号範囲からなる加入者識別（ＩＭＳＩ‐Ｆ）が記憶されており、加入者識別（ＩＭＳＩ‐Ｆ）にそれぞれ呼出番号（ＭＳＩＳＤＮ）が割当てられており、サービスユニット（１）が、提携通信網（ＶＰＭＮ）の番号範囲からなる、要求元通信端末装置（２）に伝送される加入者識別（ＩＭＳＩ‐Ｔ）を、要求元加入者を識別する、事業者の番号範囲からなる加入者識別（ＩＭＳＩ‐Ｆ）に割当てられた呼出番号（ＭＳＩＳＤＮ）と結合するための手段を含むことを特徴とする、請求項９または１０のいずれか１項記載のコンピュータ化サービスユニット（１）。
【請求項１２】
通信網（ＶＰＭＮ）が移動通信網であり、第１、第２加入者識別（ＩＭＳＩ‐Ｆ、ＩＭＳＩ‐Ｔ）がそれぞれ移動通信網内で加入者を識別するための移動加入者識別であることを特徴とする、請求項９〜１１のいずれか１項記載のコンピュータ化サービスユニット（１）。
【発明の詳細な説明】
【技術分野】
【０００１】
本発明は電気通信方法、これに適した識別モジュール、およびこれに適したコンピュータ化サービスユニットに関する。本発明は特に、加入者を在圏提携通信網、特に移動通信網にログインするための電気通信方法であって、在圏提携通信網の番号範囲外の加入者識別を記憶した識別モジュールが加入者の通信端末装置と接続されているものに関する。
【背景技術】
【０００２】
移動通信電話の分野において用語「ローミングｒｏａｍｉｎｇ」とは、移動通信端末装置、例えば移動通信電話、または相応する移動通信コンポーネントを有する携帯コンピュータをホーム網の外側で作動させることである。ローミングは例えば各種のＧＳＭ網（Ｇｌｏｂａｌ  Ｓｙｓｔｅｍ  ｆｏｒ  Ｍｏｂｉｌｅ  Ｃｏｍｍｕｎｉｃａｔｉｏｎ）またはＵＭＴＳ網（Ｕｎｉｖｅｒｓａｌ  Ｍｏｂｉｌｅ  Ｔｅｌｅｐｈｏｎｅ  Ｓｙｓｔｅｍ）の間で利用され、しかし異なる標準に従って作動する移動通信網の間でも利用される。２つの移動通信網の間で或る加入者の直接ローミングを可能とするには、移動通信網の当該事業者の間でローミング協定が締結されねばならない。或る加入者は在圏移動通信網（Ｖｉｓｉｔｅｄ  Ｐｕｂｌｉｃ  Ｍｏｂｉｌｅ  Ｎｅｔｗｏｒｋ、ＶＰＭＮ）において自己のホーム移動通信網（Ｈｏｍｅ  Ｐｕｂｌｉｃ  Ｍｏｂｉｌｅ  Ｎｅｔｗｏｒｋ、ＨＰＭＮ）の番号範囲からなる自己の加入者識別（Ｉｎｔｅｒｎａｔｉｏｎａｌ  Ｍｏｂｉｌｅ  Ｓｕｂｓｃｒｉｂｅｒ  Ｉｄｅｎｔｉｔｙ、ＩＭＳＩ）で訪問者データファイル（Ｖｉｓｉｔｏｒ  Ｌｏｃａｔｉｏｎ  Ｒｅｇｉｓｔｅｒ、ＶＬＲ）にログインされ、自己の滞在場所がホーム移動通信網のホームデータファイル（Ｈｏｍｅ  Ｌｏｃａｔｉｏｎ  Ｒｅｇｉｓｔｅｒ、ＨＬＲ）に記憶される。すなわち、いわゆる位置更新が実行される。
【０００３】
国際特許出願ＷＯ９８/１０６１４に述べられた間接ローミング用電気通信方法はホーム移動通信網の加入者にホーム移動通信網とのローミング協定なしに在圏移動通信網に接続することを可能とし、その際接続は、一方でホーム移動通信網、他方で在圏移動通信網とのローミング協定を有する提携網から提供される手段、例えば加入者識別（ＩＭＳＩ）および呼出番号（ＭＳＩＳＤＮ＝Ｍｏｂｉｌｅ  Ｓｕｂｓｃｒｉｂｅｒ  Ｉｎｔｅｇｒａｔｅｄ  Ｓｅｒｖｉｃｅｓ  Ｄｉｇｉｔａｌ  Ｎｅｔｗｏｒｋ）によって行われる。
【０００４】
国際特許出願ＷＯ９８/１０６１４に述べられている方法では、ホーム移動通信網の加入者の各識別モジュールが２つの固定記憶された加入者識別が含まれている。各加入者識別に異なる呼出番号が割当てられる。第１加入者識別はホーム移動通信網の番号範囲に属し、第２加入者識別は提携網の番号範囲に属している。ホーム移動通信網とのローミング協定を持たない在圏網にログインするために、加入者はホーム移動通信網の第１加入者識別を非作動としかつ提携網の第２加入者識別を作動させることができ、これにより在圏網において提携網の加入者と見做される。つまり提携網を介して在圏網のローミング過程を展開することができる。
【０００５】
国際特許出願ＷＯ９８/１０６１４による方法では各加入者識別に別の異なる呼出番号が割当てられているので、加入者用第１呼出番号での呼出しは手間のかかるメカニズムで迂回されなければならない。さらに、加入者仕様データ、例えば呼出し迂回、補助番号等はまったく従来どおり加入者識別に割当てられ、したがってホーム移動通信網内、またはホーム移動通信網とローミング協定を締結した在圏移動通信網内でのみ利用可能である。
【０００６】
欧州特許出願ＥＰ０９９０３６４には、国際特許出願ＷＯ９８/１０６１４におけるような間接ローミング用の類似の電気通信方法が述べられている。しかしながらこのＥＰ０９９０３６４によればホーム移動通信網の第１加入者識別と提携網の第２加入者識別とに共通の呼出番号が割当てられる。
【０００７】
直接ローミング用の従来の標準化方法も、間接ローミング用の上記方法も、加入者が在圏移動通信網において外部加入者としてログインされ、ローカル加入者よりもかなり高い接続費用を支払わねばならない欠点を有する。超過費用は特に、同じホーム移動通信網からの２名の加入者が共通する在圏移動通信網に滞在して互いに通信し、その際にホーム移動通信網を介して接続が確立される場合にも現れることがある。
【発明の開示】
【０００８】
本発明の課題は、従来技術による諸欠点を防止する、或る加入者を在圏提携通信網にログインするための電気通信方法およびこの電気通信方法に適した装置を提供することである。
【０００９】
本発明によれば、この課題は特に独立請求項の要素によって達成される。さらに、その他の有利な実施形態は従属請求項と明細書とから明らかとなる。
【００１０】
或る加入者は通信端末装置に接続可能な識別モジュールを有し、この識別モジュールには、加入者のホーム網事業者の番号範囲内、または仮想通信網のサービスを提供するサービスプロバイダの番号範囲内にある第１加入者識別が記憶されている。仮想網のこのようなサービスプロバイダは典型的には確かに加入者識別用に指定された番号範囲を有してはいるが、しかし独自の通信網を備えておらず、および／または移動通信網の場合送信周波数用ライセンスを持っていない。ホーム網事業者もしくは仮想網のサービスプロバイダは提携通信網の事業者との提携協定、移動通信網の場合例えば一種のローミング協定を有する。加入者は、識別モジュールに接続された自己の通信端末装置で提携通信網を訪問する。通信端末装置を在圏提携通信網に接続すると従来の如くにローミング過程が開始され、識別モジュールに記憶された加入者識別が在圏提携通信網の番号範囲外であるので、位置更新が実行される。
【００１１】
上記課題は本発明によれば特に、在圏提携通信網の番号範囲からなる第２加入者識別がコンピュータ化サービスユニットによって在圏提携通信網内の通信端末装置に伝送され、第２加入者識別が通信端末装置に接続された識別モジュールに記憶されかつ作動され、加入者が第２加入者識別で在圏提携通信網にログインされることによって解決される。第２加入者識別を在圏提携通信網内の通信端末装置に伝送することの利点は、第２加入者識別が在圏提携通信網の番号範囲内にあるので、これにより加入者を各提携通信網内で動的に在圏提携通信網のローカル加入者とし得ることにある。
【００１２】
好ましくは、提携通信網の番号範囲からなる加入者識別がサービスユニットのデータバンクに記憶され、第２加入者識別に対するサービス要求を有するデータメッセージが在圏提携通信網内の通信端末装置から在圏提携通信網を介してサービスユニットに伝送され、受信されたサービス要求に基づいてデータバンクから第２加入者識別が取り出され、在圏提携通信網を介して要求元通信端末装置に伝送される。通信端末装置からサービスユニットにサービス要求を伝送することによって、選択可能な時点に、例えば加入者のイニシアチブで、在圏提携通信網の番号範囲からなる第２加入者識別の伝送を開始することができる。
【００１３】
好ましい１実施形態において、サービスユニットの事業者の番号範囲から第１加入者識別が選択され、第１加入者識別が呼出番号に割当ててサービスユニットのホームデータファイルに記憶され、第２加入者識別がサービスユニット内で、第１加入者識別に割当てられた呼番号と結合される。サービスユニット事業者の番号範囲から第１加入者識別を選択し、サービスユニットのホームデータファイル内に第１加入者識別を記憶することによって、サービスユニット事業者の番号範囲からなる第１加入者識別をそれぞれ割付けられた加入者がこの事業者の加入者として国際的に認知され、提携通信網内で事業者のホームデータファイルにログインするとき位置更新を開始できることが可能となり、事業者自身が通信網を備える必要はなく、仮想網のサービスプロバイダであるだけでよい。第１、第２加入者識別を共通する呼出番号と結合することによって、加入者がログインしたあらゆる提携通信網で同じ呼出番号で到達できることが可能となる。これは移動通信網に妥当するだけでなく、加入者が加入者識別でログインできる固定網にも妥当する。
【００１４】
一実施形態において、在圏提携通信網から費用データが、清算のために、第１加入者識別によって識別された事業者のサービスユニットに伝送される。
【００１５】
好ましい一実施形態において、移動通信端末装置が使用され、在圏提携通信網として移動通信網が選択され、第１、第２加入者識別として移動加入者識別が使用される。
【００１６】
以下、一実施例を基に本発明の一実施形態を説明する。実施例は以下の単一の添付図に示してある。
【発明を実施するための最良の形態】
【００１７】
図１において符号２は通信端末装置である。この通信端末装置２は好ましくは移動通信装置、例えば移動通信電話、または移動通信コンポーネントを備えた携帯ラップトップまたはハンドヘルドコンピュータである。しかし通信端末装置２は固定網、特に加入者が加入者識別でログインできるデジタル固定網、例えばＩＳＤＮ網（Ｉｎｔｅｇｒａｔｅｄ  Ｓｅｒｖｉｃｅｓ  Ｄｉｇｉｔａｌ  Ｎｅｔｗｏｒｋ）、ＩＰ網（Ｉｎｔｅｒｎｅｔ  Ｐｒｏｔｏｃｏｌ）またはＷＬＡＮ（Ｗｉｒｅｌｅｓｓ  Ｌｏｃａｌ  Ａｒｅａ  Ｎｅｔｗｏｒｋ）またはＷＡＮ（Ｗｉｄｅ  Ａｒｅａ  Ｎｅｔｗｏｒｋ）に接続するように整えておくこともできる。
【００１８】
図１に略示したように、通信端末装置２は識別モジュールＳＩＭと接続されている。識別モジュールＳＩＭはコンタクトを備えたインタフェースを介して除去可能に通信端末装置２と接続されており、データ要素を記憶するための記憶素子とプログラム可能プロセッサと例えばＳＩＭツールキットまたはＪａｖａ（ＪａｖａはＳｕｎ  Ｍｉｃｒｏｓｙｓｔｅｍｓ  Ｉｎｃ．社の登録商標）に基づくプログラムドソフトウェアモジュール２２とを含む。プロセッサの機能とプログラムドソフトウェアモジュール２２の機能は固定プログラムド回路によって実行することもできる。識別モジュールＳＩＭは好ましくはチップカードの態様のＳＩＭカード（Ｓｕｂｓｃｒｉｂｅｒ  Ｉｄｅｎｔｉｆｉｃａｔｉｏｎ  Ｍｏｄｕｌｅ）である。識別要素ＳＩＭに加入者識別ＩＭＳＩ‐Ｆは固定式に書込保護して記憶されている。
【００１９】
図１において符号ＶＰＭＮは通信網、好ましくは移動通信網、例えばＧＳＭ網（Ｇｌｏｂａｌ  Ｓｙｓｔｅｍ  ｆｏｒ  Ｍｏｂｉｌｅ  Ｃｏｍｍｕｎｉｃａｔｉｏｎ）またはＵＭＴＳ網（Ｕｎｉｖｅｒｓａｌ  Ｍｏｂｉｌｅ  Ｔｅｌｅｐｈｏｎｅ  Ｓｙｓｔｅｍ）またはその他の地上または衛星ベースの移動通信網である。通信網ＶＰＭＮは、既に上で触れたように、加入者が加入者識別でログインできる固定網とすることもできよう。
【００２０】
加入者識別は好ましくは国際的に有効な、代表的には階層構成された加入者識別である。加入者識別は好ましくは移動加入者識別、例えばいわゆる国際移動加入者識別（ＩＭＳＩ）番号である。ＩＭＳＩ番号は例えば欧州電気通信標準化協会（ＥＴＳＩ）のＧＳＭ規格０３．０３で１５の符号に確定されており、次掲の表１に示すように冒頭３つの符号は国コード（Ｍｏｂｉｌｅ  Ｃｏｕｎｔｒｙ  ＣＯＤＥ、ＭＣＣ）であり、後続の１つまたは２つの符号は網コード（Ｍｏｂｉｌｅ  Ｎｅｔｗｏｒｋ  ＣＯＤＥ、ＭＮＣ）であり、最後１０または１１の符号は加入者コード（Ｍｏｂｉｌｅ  Ｓｕｂｓｃｒｉｂｅｒ  Ｉｄｅｎｔｉｆｉｃａｔｉｏｎ  Ｎｕｍｂｅｒ、ＭＳＩＮ）である。加入者コードの最初の符号は当該加入者のデータが記憶されているホームデータファイル（Ｈｏｍｅ  Ｌｏｃａｔｉｏｎ  Ｒｅｇｉｓｔｅｒ、ＨＬＲ）を識別する。
【００２１】
【表１】
2004535746.tif 000003
【００２２】
従って通信網ＶＰＭＮの免許事業者に番号範囲を割付けることができ、この番号範囲内で通信網ＶＰＭＮ用加入者識別を割付けることができる。それに加えて、加入者識別を基に当該加入者が或る通信網もしくはその事業者に帰属していることを判定することができる。
【００２３】
図１において符号１は通信網ＶＰＭＮに接続されたコンピュータ化サービスユニットである。代表的にはサービスユニット１は直接にではなく、接続網および／または交換機を介して通信網ＶＰＭＮと接続されている。サービスユニット１が含むのは単数または複数のコンピュータ、プログラムドソフトウェアモジュール１２、データバンク１１、そして好ましくは単数または複数のコンピュータで実行されるホームデータファイルＨＬＲである。ホームデータファイルＨＬＲ内に加入者の加入者識別ＩＭＳＩ‐Ｆ’が記憶されており、こうして加入者識別はサービスユニット１のサービスについて識別できる。図１に略示したように、ホームデータファイルＨＬＲ内の加入者識別ＩＭＳＩ‐Ｆ’にそれぞれ１つの呼出番号ＭＳＩＳＤＮが割当てられている。提携通信網、例えば通信網ＶＰＭＮの番号範囲からなる加入者識別ＩＭＳＩ‐Ｐはデータバンク１１に記憶されている。これらの加入者識別ＩＭＳＩ‐Ｐは提携通信網の事業者との提携協定に基づいてサービスユニット１の事業者に例えば番号範囲としてまたは個別番号のセットとして指定される。
【００２４】
加入者が自己の通信端末装置２およびそれに接続された識別モジュールＳＩＭで通信網ＶＰＭＮを訪問すると、識別モジュールＳＩＭに固定記憶されたＩＭＳＩ‐Ｆは通信端末装置２の作動時に在圏通信網ＶＰＭＮに伝送される。加入者識別ＩＭＳＩ‐Ｆは好ましくは、ホームデータファイルＨＬＲ内にそれが記憶されているサービスユニット１の事業者の番号範囲からなる。しかし加入者識別ＩＭＳＩ‐Ｆは在圏通信網ＶＰＭＮとは異なる網の番号範囲からなるものとしてこの別の網のホームデータファイルに記憶しておくこともできよう。加入者識別ＩＭＳＩ‐Ｆは在圏通信網ＶＰＭＮの番号範囲からなるのではないので、従来のローミング過程が開始される。その際、加入者識別ＩＭＳＩ‐Ｆは在圏通信網ＶＰＭＮの図示しない訪問者データファイル（Ｖｉｓｉｔｏｒ  Ｌｏｃａｔｉｏｎ  Ｒｅｇｉｓｔｅｒ、ＶＬＲ）に記憶され、いわゆる位置更新が実行され、これにより訪問加入者の滞在場所は、ＩＭＳＩ‐Ｆによって識別されるホームデータファイル、例えばサービスユニット１内のホームデータファイルＨＬＲに伝送される。
【００２５】
図１に示すように、第１ステップＳ１では在圏通信網ＶＰＭＮの番号範囲からなる加入者識別に対するサービス要求が通信端末装置２から通信網ＶＰＭＮを介してサービスユニット１に伝送される。このサービス要求はデータメッセージ、例えばＳＭＳメッセージ（Ｓｈｏｒｔ  Ｍｅｓｓａｇｅ  Ｓｅｒｖｉｃｅｓ）またはＵＳＳＤメッセージ（Ｕｎｓｔｒｕｃｔｕｒｅｄ  Ｓｕｐｐｌｅｍｅｎｔａｒｙ  Ｓｅｒｖｉｃｅｓ  Ｄａｔａ）を利用して伝送される。データメッセージはプログラムドソフトウェアモジュール２２によって、例えば予め定義された機能キーの操作後に生成され、または加入者によって操作要素２１を利用して入力される。
【００２６】
サービス要求を有するデータメッセージはサービスユニット１内でソフトウェアモジュール１２によって受け取られて分析される。受け取られるデータメッセージに基づいてソフトウェアモジュール１２は加入者が訪問する通信網ＶＰＭＮを判定することができ、データバンク１１は在圏通信網ＶＰＭＮの番号範囲から相応する加入者識別ＩＭＳＩ‐Ｐを取り出し、ステップＳ２において通信端末装置２に、例えばサービス要求について上で述べたようなデータメッセージ内で伝送することができる。それに加えて、要求元加入者の加入者識別ＩＭＳＩ‐Ｆがサービスユニット１のホームデータファイルＨＬＲに登録されている場合、ソフトウェアモジュール１２は指定された加入者識別ＩＭＳＩ‐Ｐと、ホームデータファイルＨＬＲ内で要求元加入者の加入者識別ＩＭＳＩ‐Ｆに割当てられた呼出番号ＭＳＩＳＤＮとの結合を確立する。これにより加入者はすべての在圏通信網ＶＰＭＮに同じ呼出番号で到達することができる。
【００２７】
加入者の加入者識別ＩＭＳＩ‐Ｆがサービスユニット１のホームデータファイルＨＬＲに登録されている場合のため、在圏通信網ＶＰＭＮから加入者に関する位置更新がサービスユニット１内で受信されるや、加入者に対してソフトウェアモジュール２によってオプションで在圏通信網ＶＰＭＮの番号範囲から加入者識別ＩＭＳＩ‐Ｐも自動的に指定して伝送することができる。このオプションは例えばサービスユニット１のホームデータファイルＨＬＲ内で加入者について明確にすることができる。
【００２８】
通信端末装置２では在圏通信網ＶＰＭＮの番号範囲からなる加入者識別ＩＭＳＩ‐Ｐを有するデータメッセージがソフトウェアモジュール２２によって受け取られ、一時的加入者識別ＩＭＳＩ‐Ｔとして識別モジュールＳＩＭに記憶される。一時的加入者識別ＩＭＳＩ‐Ｔは好ましくは書込保護して記憶され、加入者が不正操作することはできない。固定記憶された加入者識別ＩＭＳＩ‐Ｆがソフトウェアモジュール２２によって非作動化され、もしくは一時的加入者識別ＩＭＳＩ‐Ｔが作動される。作動もしくは非作動は例えば、一時的加入者識別ＩＭＳＩ‐Ｔおよび固定加入者識別ＩＭＳＩ‐Ｆにそれぞれ割当てられたフラグのセットもしくはリセットによって行われる。一時的加入者識別ＩＭＳＩ‐Ｔの作動もしくは固定記憶された加入者識別ＩＭＳＩ‐Ｆの非作動は例えばソフトウェアモジュール２２の、ユーザが選択可能な機能によって後退させることができる。その際、一時的加入者識別ＩＭＳＩ‐Ｔは例えば選択的に消去しまたは後の再作動のため記憶装置に残すことができる。加入者は作動された一時的加入者識別ＩＭＳＩ‐Ｔで在圏通信網ＶＰＭＮにログインすることができ、次に在圏通信網ＶＰＭＮによってローカル加入者として認知され、在圏通信網ＶＰＭＮの図示しないホームデータファイルに登録される。
【００２９】
図１に示すように、ステップＳ３では費用データ、例えば一時的ＩＭＳＩ‐Ｔによって確立された接続に関するいわゆる呼出詳細記録（ＣＤＲ）が在圏通信網ＶＰＭＮからサービスユニット１に伝送される。在圏通信網ＶＰＭＮの交換機３、いわゆる移動交換センタ（ＭＳＣ）において、通信網ＶＰＭＮの番号範囲からなる、提携協定に基づいてサービスユニット１の事業者に指定された加入者識別ＩＭＳＩ‐Ｐが、当該事業者の識別にまたは当該サービスユニット１の識別、例えばアドレスに割当てて記憶されている。交換機３、もしくは交換機３内の相応にプログラミングされたソフトウェアモジュールは、接続を確立する一時的加入者識別ＩＭＳＩ‐Ｔがサービスユニット１の事業者に指定された加入者識別ＩＭＳＩ‐Ｐであることを認知し、費用データをこのサービスユニット１に伝送する。つまり、加入者は在圏通信網ＶＰＭＮ内で在圏通信網ＶＰＭＮの番号範囲からなる一時的加入者識別ＩＭＳＩ‐Ｔでログインされているのではあるが、好ましくは固定記憶された加入者識別ＩＭＳＩ‐Ｆによってその事業者が識別されるサービスユニット１に費用データは伝送することができる。それに加えて、在圏通信網ＶＰＭＮの番号範囲から加入者識別ＩＭＳＩ‐Ｐを指定するための交換手数料はサービスユニット１内で清算することができる。
【産業上の利用可能性】
【００３０】
本発明は移動通信電話用移動通信網と合わせて世界中で利用でき、加入者が加入者識別でログインされる固定網においても使用される。本発明によって、在圏通信網、特に移動通信網にローカル加入者として世界中でログインすることが加入者に可能となる。
【図面の簡単な説明】
【００３１】
【図１】通信網を介してデータを交換する通信端末装置とコンピュータ化サービスユニットを略示するブロック線図である。
【符号の説明】
【００３２】
１  コンピュータ化サービスユニット
２  通信端末装置（移動通信電話）
３  交換機（移動交換センタ）
１１  データバンク
１２  プログラムドソフトウェアモジュール
２１  操作要素
２２  プログラムドソフトウェアモジュール
ＨＬＲ  ホームデータファイル（ホームロケーションレジスタ）
ＩＭＳＩ‐Ｆ、ＩＭＳＩ‐Ｆ’  固定加入者識別（固定国際移動加入者識別）
ＩＭＳＩ‐Ｐ  提携通信網からの加入者識別（提携国際移動加入者識別）
ＩＭＳＩ‐Ｔ  一時的加入者識別（一時的国際移動加入者識別）
ＭＳＩＳＤＮ  呼出番号（移動加入者サービス総合デジタル通信網）
ＳＩＭ  識別モジュール（加入者識別モジュール）
Ｓ１  在圏通信網の番号範囲からなる加入者識別に対するサービス要求の伝送
Ｓ２  在圏通信網の番号範囲からなる加入者識別の伝送
Ｓ３  費用データの伝送
ＶＰＭＮ  在圏通信網（在圏公衆移動通信網）
【国際公開パンフレット】
2004535746.tif 000004
2004535746.tif 000005
2004535746.tif 000006
2004535746.tif 000007
2004535746.tif 000008
2004535746.tif 000009
2004535746.tif 000010
2004535746.tif 000011
2004535746.tif 000012
2004535746.tif 000013
2004535746.tif 000014
2004535746.tif 000015
2004535746.tif 000016
2004535746.tif 000017
2004535746.tif 000018
2004535746.tif 000019
2004535746.tif 000020
2004535746.tif 000021
2004535746.tif 000022
2004535746.tif 000023
【手続補正書】
【提出日】平成15年5月26日(2003.5.26)
【手続補正１】
【補正対象書類名】特許請求の範囲
【補正対象項目名】全文
【補正方法】変更
【補正の内容】
【特許請求の範囲】
【請求項１】
或る加入者を在圏提携通信網（ＶＰＭＮ）にログインするための電気通信方法であって、識別モジュール（ＳＩＭ）が加入者の通信端末装置（２）と接続され、在圏提携通信網（ＶＰＭＮ）の番号範囲外にある第１加入者識別（ＩＭＳＩ‐Ｆ）がこの識別モジュール（ＳＩＭ）に記憶されているものにおいて、
在圏提携通信網（ＶＰＭＮ）の番号範囲からなる第２加入者識別（ＩＭＳＩ‐Ｔ）がコンピュータ化サービスユニット（１）によって在圏提携通信網（ＶＰＭＮ）内の通信端末装置（２）に伝送され、
第２加入者識別（ＩＭＳＩ‐Ｔ）が識別モジュール（ＳＩＭ）に記憶され、
加入者が第２加入者識別（ＩＭＳＩ‐Ｔ）で在圏提携通信網（ＶＰＭＮ）にログインされることを特徴とする電気通信方法。
【請求項２】
提携通信網（ＶＰＭＮ）の番号範囲からなる加入者識別（ＩＭＳＩ‐Ｐ）がサービスユニット（１）のデータバンク（１１）に記憶され、第２加入者識別（ＩＭＳＩ‐Ｔ）に対するサービス要求を有するデータメッセージが在圏提携通信網（ＶＰＭＮ）内の通信端末装置（２）から在圏提携通信網（ＶＰＭＮ）を介してサービスユニット（１）に伝送され、受信されたサービス要求に基づいてデータバンク（１１）から第２加入者識別（ＩＭＳＩ‐Ｔ）が取り出され、かつ在圏提携通信網（ＶＰＭＮ）を介して要求元通信端末装置（２）に伝送されることを特徴とする、請求項１記載の電気通信方法。
【請求項３】
サービスユニット（１）の事業者の番号範囲から第１加入者識別（ＩＭＳＩ‐Ｆ）が選択され、第１加入者識別（ＩＭＳＩ‐Ｆ’）が呼出番号（ＭＳＩＳＤＮ）に割当ててサービスユニット（１）のホームデータファイル（ＨＬＲ）に記憶され、第２加入者識別（ＩＭＳＩ‐Ｔ）がサービスユニット（１）内で、第１加入者識別（ＩＭＳＩ‐Ｆ’）に割当てられた呼出番号（ＭＳＩＳＤＮ）と結合されることを特徴とする、請求項１または２のいずれか１項記載の電気通信方法。
【請求項４】
在圏提携通信網（ＶＰＭＮ）から費用データが、清算のために、第１加入者識別（ＩＭＳＩ‐Ｆ）によって識別された事業者のサービスユニット（１）に伝送されることを特徴とする、請求項１〜３のいずれか１項記載の電気通信方法。
【請求項５】
移動通信端末装置（２）が使用され、在圏提携通信網（ＶＰＭＮ）として移動通信網が選択され、第１、第２加入者識別（ＩＭＳＩ‐Ｆ、ＩＭＳＩ‐Ｔ）として移動加入者識別が使用されることを特徴とする、請求項１〜４のいずれか１項記載の電気通信方法。
【請求項６】
第２加入者識別（ＩＭＳＩ‐Ｔ）に対するサービス要求が在圏提携通信網（ＶＰＭＮ）内の通信端末装置（２）から在圏提携通信網（ＶＰＭＮ）を介してサービスユニット（１）に伝送されることを特徴とする、請求項１記載の電気通信方法。
【請求項７】
第１加入者識別（ＩＭＳＩ‐Ｆ’）がサービスユニット（１）のホームデータファイル（ＨＬＲ）に記憶され、第１加入者識別（ＩＭＳＩ‐Ｆ）が通信端末装置（２）から在圏提携通信網（ＶＰＭＮ）に伝送され、加入者に関する位置更新を在圏通信網（ＶＰＭＮ）からサービスユニット（１）内で受信すると在圏提携通信網（ＶＰＭＮ）の番号範囲からなる第２加入者識別（ＩＭＳＩ‐Ｔ）がコンピュータ化サービスユニット（１）から在圏通信網（ＶＰＭＮ）内の通信端末装置（２）に自動的に伝送されることを特徴とする、請求項１記載の伝記通信方法。
【請求項８】
請求項１〜７のいずれか１項記載の通信方法において使用するための加入者識別モジュールであって、この識別モジュール（ＳＩＭ）が通信端末装置（２）に接続可能であり、提携通信網（ＶＰＭＮ）の番号範囲外にある第１加入者識別（ＩＭＳＩ‐Ｆ）がこの識別モジュール（ＳＩＭ）に記憶されており、識別モジュールが、
‐在圏提携通信網（ＶＰＭＮ）内の通信端末装置（２）によってコンピュータ化サービスユニット（１）から受信された、在圏提携通信網の番号範囲からなる第２加入者識別（ＩＭＳＩ‐Ｔ）を受け取るための手段と、
‐第２加入者識別（ＩＭＳＩ‐Ｔ）を識別モジュール（ＳＩＭ）に記憶するための手段と、
‐加入者を第２加入者識別（ＩＭＳＩ‐Ｔ）で在圏提携通信網（ＶＰＭＮ）にログインするための手段とを含む識別モジュール（ＳＩＭ）。
【請求項９】
第２加入者識別（ＩＭＳＩ‐Ｔ）に対するサービス要求を有するデータメッセージを生成し、かつ生成したデータメッセージを通信端末装置（２）によって在圏提携通信網（ＶＰＭＮ）を介してサービスユニット（１）に伝送するための手段を識別モジュールが含むことを特徴とする、請求項８記載の識別モジュール（ＳＩＭ）。
【請求項１０】
識別モジュールが移動通信端末装置（２）に接続可能であり、第１、第２加入者識別（ＩＭＳＩ‐Ｆ、ＩＭＳＩ‐Ｔ）がそれぞれ移動通信網内で加入者を識別するための移動加入者識別であることを特徴とする、請求項８または９のいずれか１項記載の識別モジュール（ＳＩＭ）。
【請求項１１】
請求項１〜７のいずれか１項記載の通信方法において使用するための、通信網（ＶＰＭＮ）に接続可能なコンピュータ化サービスユニットであって、
提携通信網（ＶＰＭＮ）の番号範囲からなる加入者識別（ＩＭＳＩ‐Ｐ）を記憶したデータバンク（１１）と、
提携通信網（ＶＰＭＮ）の１つに在圏する通信端末装置（２）に加入者識別（ＩＭＳＩ‐Ｔ）の１つを伝送するための手段とを含むコンピュータ化サービスユニット（１）。
【請求項１２】
コンピュータ化サービスユニットが、
‐在圏提携通信網（ＶＰＭＮ）内の通信端末装置（２）から提携通信網（ＶＰＭＮ）を介してデータメッセージを受け取るための手段と、その際サービスメッセージが当該提携通信網（ＶＰＭＮ）の番号範囲からなる加入者識別（ＩＭＳＩ‐Ｔ）に対するサービス要求を含み、
‐受信したサービス要求に基づいてデータバンク（１１）から加入者識別（ＩＭＳＩ‐Ｔ）を取り出すための手段と、
‐取り出した加入者識別（ＩＭＳＩ‐Ｔ）を提携通信網（ＶＰＭＮ）を介して要求元通信端末装置（２）に伝送するための手段とを含むことを特徴とする、請求項１１記載のコンピュータ化サービスユニット（１）。
【請求項１３】
コンピュータ化サービスユニットがホームデータファイル（ＨＬＲ）を含み、このホームデータファイルにサービスユニット（１）の事業者の番号範囲からなる加入者識別（ＩＭＳＩ‐Ｆ）が記憶されており、加入者識別（ＩＭＳＩ‐Ｆ）にそれぞれ呼出番号（ＭＳＩＳＤＮ）が割当てられており、サービスユニット（１）が、提携通信網（ＶＰＭＮ）の番号範囲からなる、要求元通信端末装置（２）に伝送される加入者識別（ＩＭＳＩ‐Ｔ）を、要求元加入者を識別する、事業者の番号範囲からなる加入者識別（ＩＭＳＩ‐Ｆ）に割当てられた呼出番号（ＭＳＩＳＤＮ）と結合するための手段を含むことを特徴とする、請求項１１または１２のいずれか１項記載のコンピュータ化サービスユニット（１）。
【請求項１４】
通信網（ＶＰＭＮ）が移動通信網であり、第１、第２加入者識別（ＩＭＳＩ‐Ｆ、ＩＭＳＩ‐Ｔ）がそれぞれ移動通信網内で加入者を識別するための移動加入者識別であることを特徴とする、請求項１１〜１３のいずれか１項記載のコンピュータ化サービスユニット（１）。
【請求項１５】
コンピュータ化サービスユニットが、サービスユニット（１）の事業者の番号範囲からなる加入者識別（ＩＭＳＩ‐Ｆ’）を記憶したホームデータファイル（ＨＬＲ）を含み、コンピュータ化サービスユニットが、
‐提携通信網（ＶＰＭＮ）を介して在圏提携通信網（ＶＰＭＮ）内の通信端末装置（２）に関する位置更新を受け取るための手段と、
‐当該通信端末装置（２）に関する位置更新を受信すると在圏提携通信網（ＶＰＭＮ）の番号範囲からなる加入者識別（ＩＭＳＩ‐Ｔ）を提携通信網（ＶＰＭＮ）を介して在圏提携通信網（ＶＰＭＮ）内の当該通信端末装置（２）に自動的に伝送するための手段とを含むことを特徴とする、請求項１１記載のコンピュータ化サービスユニット（１）。
【手続補正２】
【補正対象書類名】明細書
【補正対象項目名】０００７
【補正方法】変更
【補正の内容】
【０００７】
直接ローミング用の従来の標準化方法も、間接ローミング用の上記方法も、加入者が在圏移動通信網において外部加入者としてログインされ、ローカル加入者よりもかなり高い接続費用を支払わねばならない欠点を有する。超過費用は特に、同じホーム移動通信網からの２名の加入者が共通する在圏移動通信網に滞在して互いに通信し、その際にホーム移動通信網を介して接続が確立される場合にも現れることがある。
国際特許出願ＷＯ９８/３８８１７に通信情報を移動通信装置に伝送するための方法およびシステムが述べられている。このＷＯ９８/３８８１７によれば移動通信装置内にそれぞれ個別の通信情報が記憶され、これらの通信情報は当該通信装置に関して明確な論理的識別、チャネル周波数、秘密鍵およびその他の通信固有なデータを含み、通信装置内でユーザのホーム都市用に特殊にプログラミングされている。ユーザが外部都市を訪問したい場合、ユーザは通信装置に記憶されたリストから訪問したい都市を国際特許出願ＷＯ９８/３８８１７に従って選択し、それを受けて通信装置は選択された訪問したい都市に関する新しい通信情報に対する要請をゲートウェイを介してサーバに送信する。サーバは選択された都市に関する通信情報を、選択された都市において通信装置を訪問元通信装置として識別する新たな論理識別を含めて国際特許出願ＷＯ９８/３８８１７に従って要求元通信装置に伝送する。選択された都市に通信装置が達したとき、新たな通信情報はこの都市の内部で通信するのに通信装置によって使用される。にＷＯ９８/３８８１７係るこのシステムおよび方法は、訪問する都市に関して自己の通信装置を通信可能状態に編成するにはユーザがこの都市を訪問する前にこの訪問する都市に関する通信情報を意識的に要求して自己の通信装置にダウンロードしなければならない欠点を有する。訪問する都市用にその通信装置が再編成され、現実の都市では代表的にはもはや通信可能でない場合、そしてユーザが自己の意図を予期せぬごとくに変更する場合、ユーザは通信装置を再び編成して戻さねばならない。これに加えて、訪問する都市のユーザ操作式選択はユーザによってしばしば面倒と感じられ、さらには都市間の明瞭でスムーズな移行を困難にする。




【国際調査報告】
2004535746.tif 000024
2004535746.tif 000025
2004535746.tif 000026
2004535746.tif 000027
2004535746.tif 000028
2004535746.tif 000029